(57)【要約】【課題】筐体内に収納された冷却装置のコンパクト化を図ることができると共に、冷却装置の構成部材のユニット化による組立の迅速化も図ることができる。【解決手段】冷却装置５０は、二次冷媒が循環する循環配管５３と、二次冷媒を冷却対象である冷熱利用機器５２に循環させる二次冷媒ポンプ５５と、二次冷媒の量を調整するリザーバタンク５６と、を備え、冷凍機５４で発生した冷熱を、二次冷媒を循環配管５３に循環させることにより冷却対象に供給する冷却装置５０であって、二次冷媒ポンプ５５とリザーバタンク５６とが、上下方向に重なるように配置される。【選択図】    図２
2004286370.tif 000002
【特許請求の範囲】
【請求項１】
二次冷媒が循環する循環配管と、前記二次冷媒を送流する二次冷媒ポンプと、前記二次冷媒の量を調整するリザーバタンクと、を備え、前記二次冷媒を前記二次冷媒ポンプを用いて前記循環配管に循環させることにより、冷凍機で発生した冷熱を冷却対象に供給する冷却装置であって、
前記二次冷媒ポンプと前記リザーバタンクとが、上下方向に重なるように配置されることを特徴とする冷却装置。
【請求項２】
二次冷媒を循環配管に循環させることにより冷凍機で発生した冷熱を冷却対象に供給する冷却装置に備えられる、冷却装置の構成部材ユニットであって、
前記二次冷媒を送流して前記循環配管に循環させる二次冷媒ポンプと、
前記二次冷媒の量を調整するリザーバタンクと、を具備し、
前記二次冷媒ポンプと前記リザーバタンクとが、上下方向に重なるように配置されることを特徴とする冷却装置の構成部材ユニット。
【発明の詳細な説明】
【０００１】
【発明の属する技術分野】
この発明は、冷凍機を用いて発生した冷熱を、二次冷媒を循環させることにより冷熱利用機器に供給する冷却装置に関し、特には、この冷却装置における二次冷媒を循環させる二次冷媒ポンプ及びこの二次冷媒の量を調整するリザーバタンクの配置に関する。
【０００２】
【従来の技術】
近年、地球環境問題におけるフロン代替の冷凍装置として、又、従来の冷却装置より使用温度が広範囲であり、コンパクトで、しかも成績係数が高く、エネルギー効率が良好となる冷凍機として、スターリング冷凍機が脚光を浴びている。このため、スターリング冷凍機は、冷凍庫、冷蔵庫、投げ込み式クーラ等の業務用又は家庭用の冷熱利用機器をはじめ、低温液循環器、低温恒温器、恒温槽、ヒートショック試験装置、凍結乾燥機、温度特性試験装置、血液・細胞保存装置、コールドクーラ、その他各種の冷熱装置等のあらゆる産業分野の冷熱利用機器に適用可能な、冷熱供給源としての利用が検討されている。
【０００３】
上記のような冷却装置に関連する従来技術として、スターリング冷凍機の冷却ヘッド、冷却ヘッドで冷却される冷熱冷媒を流すポンプを有する冷熱冷媒管路及び冷熱利用機器の冷熱冷媒配管とから構成される冷熱冷媒の循環路を備えたスターリング冷却装置において、循環路内を循環する冷熱冷媒の収縮や圧力変動に対して冷熱冷媒流の補充、圧力調整を行い、冷熱冷媒の流れの安定性を図り良好な熱移送を可能とする、ベローズタンク装置を接続したスターリング冷却装置が開示されている（例えば特許文献１参照）。
【０００４】
【特許文献１】
特開２００２−３０３４５９号公報（第１頁、第１図）
【０００５】
【発明が解決しようとする課題】
ところで、上述したように、筐体内に収納された従来の冷却装置では、リザーバタンクは、二次冷媒ポンプ５が配置されている位置及びその上部空間から離れた位置に配置されている。
【０００６】
このため、冷却装置を筐体内に収納する場合に、冷却装置の構成部材である二次冷媒ポンプ及びリザーバタンクの配置空間がそれぞれ別個に必要となり、筐体内に収納された冷却装置のコンパクト化を図ることができない。
【０００７】
また、筐体内において、冷凍機に循環配管及び気液分離配管を介してリザーバタンク及び二次冷媒ポンプ等が組み立てられて収納され、冷却装置が完成する。このため、リザーバタンクと二次冷媒ポンプとが配置される筐体内の空間が、従来のように離れていると、リザーバタンクや二次冷媒ポンプといった冷却装置の構成部材を別々に組み立てて行かねばならず、組立に労力を要する。
【０００８】
本発明は、筐体内に収納された冷却装置のコンパクト化を図ることができると共に、冷却装置の構成部材のユニット化を可能にして組立の迅速化も図ることができる、冷却装置及び冷却装置の構成部材ユニットを実現することを課題とするものである。
【０００９】
【課題を解決するための手段】
本発明は上記課題を解決するために、二次冷媒が循環する循環配管と、前記二次冷媒を送流する二次冷媒ポンプと、前記二次冷媒の量を調整するリザーバタンクと、を備え、前記二次冷媒を前記二次冷媒ポンプを用いて前記循環配管に循環させることにより、冷凍機で発生した冷熱を冷却対象に供給する冷却装置であって、前記二次冷媒ポンプと前記リザーバタンクとが、上下方向に重なるように配置されることを特徴とする冷却装置を提供する。
【００１０】
また、本発明は、二次冷媒を循環配管に循環させることにより冷凍機で発生した冷熱を冷却対象に供給する冷却装置に備えられる、冷却装置の構成部材ユニットであって、前記二次冷媒を送流して前記循環配管に循環させる二次冷媒ポンプと、前記二次冷媒の量を調整するリザーバタンクと、を具備し、前記二次冷媒ポンプと前記リザーバタンクとが、上下方向に重なるように配置されることを特徴とする冷却装置の構成部材ユニットを提供する。
【００１１】
【発明の実施の形態】
本発明に係る冷却装置及び冷却装置の構成部材ユニットの実施の形態を実施例に基づいて図面を参照して説明する。本発明に係る冷却装置及び冷却装置の構成ユニットを説明するにあたり、まず、スターリング冷凍機を用いた冷却装置の基本的な構成について説明する。
【００１２】
図３は、このようなスターリング冷凍機を用いた冷却装置１の概略的な構成を示す図である。冷却装置１は、冷却対象となる冷熱利用機器２に二次冷媒（冷却液）を循環させる循環配管３と、この循環配管３に設けられた冷凍機４と、循環配管３に設けられ、二次冷媒を冷熱利用機器２に循環させる二次冷媒ポンプ５と、循環する二次冷媒量を調整するリザーバタンク６と、を備える。
【００１３】
循環配管３を矢印ａに沿って循環する二次冷媒は、冷凍機４で冷却される。循環配管３に設けられる二次冷媒（冷却液）ポンプ５は、二次冷媒を循環させて、冷熱利用機器２に二次冷媒を送流して冷熱の利用に供する。
【００１４】
リザーバタンク６は、循環する二次冷媒量を調節するために設けられている。つまり、循環配管３を循環する二次冷媒は、冷凍機４で冷却されるにつれて体積が減少してしまう。このため二次冷媒を補充して二次冷媒量を調整するためにリザーバタンク６が設けられている。
【００１５】
リザーバタンク６の上部空間６’には、圧力調整ベローズ７、安全バルブ８、及び、タンクベント９が、内部に貫通孔が設けられた金属製の汎用品である角ブロック１０を介して、リザーバタンク６と連通するように接続されている。リザーバタンク６の上部には二次冷媒注入バルブ（フィル）１１が接続されている。一方、リザーバタンク６の二次冷媒の貯留部分６ａと循環配管３とは、電磁弁１２を介して接続されている。
【００１６】
圧力調整ベローズ７は、伸縮することにより、循環配管３内の圧力調整を行なうものである。つまり、二次冷媒が冷熱利用機器２で冷熱を与えることにより二次冷媒に温度上昇が生じ、この結果、二次冷媒の体積変化が生じる。この体積変化により生じる循環配管３内の圧力変動に応じて、圧力調整部ベローズ７が伸縮することで、循環配管３内の圧力変動を吸収する。
【００１７】
安全バルブ８はリザーバタンク６の内圧が所定圧以上になると開弁することにより、リザーバタンク６の内圧が異常な高圧にならないようにするものである。
【００１８】
リザーバタンク６に設けられる二次冷媒注入バルブ（フィル）１１は、二次冷媒を冷却装置１内に注入する際に、開弁して用いるものである。また、タンクベント９は、リザーバタンク６を強制開放できるようにするものである。
【００１９】
循環配管３に設けられる気液分離配管２０は、冷熱利用機器２から戻ってきた二次冷媒中の残留エアを分離するためのものである。気液分離配管２０は、冷熱利用機器２と二次冷媒ポンプ５との間の配管３ａに設けられた気液分離管２０ａと、二次冷媒中の残留エアをリザーバタンク６に導く気体回収管２０ｂと、液体の二次冷媒を循環配管３に戻す液体戻管２０ｃ等と、により形成されている。
【００２０】
気液分離管２０ａと液体戻管２０ｃとは連通して、略逆Ｕ字状をなし、その頂部近傍に気体回収管２０ｂが接続されて、リザーバタンク６へ連通している。二次冷媒が、冷熱利用機器２から循環配管３ａに流動して二次冷媒ポンプ５に戻るまでの間に、二次冷媒に残留しているエア（空気）が気液分離管２０ａ内を上昇することにより気液分離が行われる。この二次冷媒中の残留エアは、気体回収管２０ｂを介してリザーバタンク６に回収され、液体の二次冷媒は、液体戻管２０ｃを介して循環配管３に戻るようにする。
【００２１】
なお、液体戻管２０ｃには、フッ素液フィルタ２１を設けてもよい。フッ素液フィルタ２１は、例えばハイドロフルオロエーテル（ＨＦＥ）の二次冷媒を用いた場合に、二次冷媒中で発生するフッ素化合物を取り除くためのものであり、例えば公知の活性アルミナカートリッジが用いられる。具体的には、上述した電磁弁１２を開いて循環配管３を循環する二次冷媒の一部をリザーバタンク６に流入させる。リザーバタンク６内の二次冷媒は、液体戻管２０ｃへ流出してフッ素液フィルタ２１を通り、二次冷媒中のフッ素化合物が取り除かれる。
【００２２】
上述したように、冷却装置１では、気液分離配管２０により気液分離を行い、二次冷媒中の残留エアをリザーバタンク６に回収している。しかし、循環配管３を流れる二次冷媒の流速が速い場合、二次冷媒中の残留エアをスムーズに気液分離させることが難しい。特に、冷却装置１を運転始動し始めた初期段階においては、循環配管３を流れる二次冷媒中の残留エアを思い通りに気液分離することが困難である。このため、二次冷媒（冷却液）ポンプ５にインバータ（図示せず）を設置し、二次冷媒ポンプ５をインバータ制御することにより、循環配管３を流れる二次冷媒の流量を調節している。つまり、インバータ制御により循環配管３を流れる二次冷媒の流速を遅くするなどの調整を行って、気液分離配管２０を介してスムーズに気液分離が行われるようにしている。
【００２３】
気液分離が行われると、二次冷媒ポンプ５には液体の二次冷媒のみが戻るので、二次冷媒中の残留エアにより生じる、二次冷媒ポンプ５のエアー噛み等の不都合が防止できる。
【００２４】
なお、上述した冷却装置１を構成する循環配管３等の配管全体を二次冷媒回路と呼ぶこともある。
【００２５】
上述した冷却装置１は、通常、図４に示されるように筐体３０内に収納される。図４（ａ）は、筐体３０内に収納された基本的な冷却装置１の上から見た模式図であり、図４（ｂ）は、筐体３０内に収納された従来の冷却装置１の側方から見た模式図である。
【００２６】
図４では、筐体３０に収納された冷却装置１において、リザーバタンク６と二次冷媒ポンプ５とを含む概略的な配置構成を示している。このため、冷却装置１の他の構成要素、例えば、リザーバタンク６の上部に接続される二次冷媒注入バルブ１１や、リザーバタンク６の上部空間６’に設けられる角ブロック１０、角ブロック１０上の圧力調整ベローズ７等の細部の構成要素は、図４では図示が省略されている。また、図４（ｂ）では、図３及び図４（ａ）で示した冷却装置１の配管（循環配管３、気液分離配管２０等）、及び、筐体３０の外側に配置される冷熱利用機器２は、便宜上、省略して図示されている。
【００２７】
図４で示されるように、冷却装置１の主な構成要素である冷凍機４、リザーバタンク６、循環配管３、気液分離配管２０、及び二次冷媒ポンプ５が、組み立てられて筐体８内に収納されている。二次冷媒ポンプ５は、筐体３０内において、冷凍機４の側方であって（図４（ｂ）参照）、筐体３０の外側に配置される冷熱利用機器２と接続されている循環配管３の入口端３１付近（図４（ａ）参照）に配置されている。なお、図４（ａ）には、入口端３１と並んで冷熱利用機器２へと接続される循環配管３の出口端３２も示されている。
【００２８】
一方、リザーバタンク６は、筐体３０内において、冷凍機４の上方、即ち、二次冷媒回路の最も高い位置であって（図４（ｂ）参照）、入口端３１付近からは最も遠い位置（図４（ａ）参照）に配置されている。つまり、筐体３０内において、リザーバタンク６は、二次冷媒ポンプ５よりも上方であって、二次冷媒ポンプ５が配置されている位置及びその上部空間（その位置の真上の空間）から離れた位置に配置されている。
【００２９】
本発明は、以上のような基本構成を有する冷却装置において、次のような構成を特徴とする。つまり、筐体内に収納される冷却装置の配置構成を改良することにより、筐体内に収納された冷却装置のコンパクト化を図ると共に、冷却装置の構成部材のユニット化を可能にして組立の迅速化を図る。以下に、本発明に係る実施例について具体的に説明する。
【００３０】
（実施例）
まず、本実施例の冷却装置５０について図１を参照しつつ説明する。図１は、冷却装置５０の概略的な構成を示す図である。冷却装置５０は、冷却対象となる冷熱利用機器５２に二次冷媒（冷却液）を循環させる循環配管５３と、この循環配管５３に設けられた冷凍機５４と、循環配管５３に設けられ、二次冷媒を冷熱利用機器５２に循環させる二次冷媒ポンプ５５と、循環する二次冷媒の量を調整するリザーバタンク５６と、を備える。
【００３１】
循環配管５３を循環する二次冷媒は、冷凍機５４で冷却される。冷凍機５４には、作動ガスを圧縮させて冷熱を発生するスターリング冷凍機が用いられる。循環配管５３に設けられる二次冷媒（冷却液）ポンプ５５は、二次冷媒を循環させて、冷熱利用機器５２に二次冷媒を送流して冷熱の利用に供する。
【００３２】
リザーバタンク５６は、循環する二次冷媒量を調節するために設けられている。つまり、循環配管５３を循環する二次冷媒は、冷凍機５４で冷却されるにつれて体積が減少してしまう。このため二次冷媒を補充して二次冷媒量を調整するためにリザーバタンク５６が設けられている。
【００３３】
リザーバタンク５６の上部空間５６’には、圧力調整ベローズ５７、安全バルブ５８、及び、タンクベント５９が角ブロック６０を介して、リザーバタンク５６と連通するように接続されている。つまり、圧力調整ベローズ５７、安全バルブ５８、及び、タンクベント５９は、内部に貫通孔が設けられた金属製の汎用品である角ブロック６０に装着されており、この角ブロック６０がリザーバタンク５６の上部空間５６’に配置されている。また、リザーバタンク５６の上部には二次冷媒注入バルブ（フィル）６１が接続されている（設けられている）。さらに、リザーバタンク５６の液体の二次媒体の貯留部分５６ａと循環配管５３とは、電磁弁６２を介して接続されている。
【００３４】
圧力調整ベローズ５７は、伸縮することにより、後述する気体回収管７０ｂ、及び気液分離管７０ａ等を介して循環配管５３内の圧力調整を行なうものである。つまり、二次冷媒が冷熱利用機器５２で冷熱を与えることにより二次冷媒に温度上昇が生じ、この結果二次冷媒の体積変化が生じる。この体積変化により生じる循環配管５３内の圧力変動に応じて、圧力調整ベローズ５７が伸縮することで、循環配管５３内の圧力変動を吸収する。
【００３５】
安全バルブ５８はリザーバタンク５６の内圧が所定圧以上になると開弁することにより、リザーバタンク５６の内圧が異常な高圧にならないようにするものである。
【００３６】
リザーバタンク５６に設けられる二次冷媒注入バルブ（フィル）６１は、二次冷媒を冷却装置５０内、つまりリザーバタンク５６に注入する際に、開弁して用いるものである。また、タンクベント５９は、リザーバタンク５６を強制開放できるようにするものである。具体的には、二次冷媒を冷却装置５０内に注入するとき、フィル６１を開いてリザーバタンク５６に二次冷媒（冷却液）を注ぎ込む。このとき、空気（エア）がリザーバタンク５６から逃げられるようにするため、タンクベント５９を開く。
【００３７】
循環配管５３には、二次冷媒の気液分離を行う気液分離配管７０が設けられている。気液分離配管７０は、冷熱利用機器５２側から戻ってきた二次冷媒中の残留エアを分離し、液体の二次冷媒を循環配管５３に戻るようにするものである。気液分離配管７０は、冷熱利用機器５２と二次冷媒ポンプ５５との間の配管５３ａに設けられた気液分離管７０ａと、二次冷媒中の残留エアををリザーバタンク５６に導く気体回収管７０ｂと、液体の二次冷媒を循環配管５３に戻す液体戻管７０ｃ等と、により形成されている。
【００３８】
気液分離管７０ａと液体戻管７０ｃとは連通して、略逆Ｕ字状をなし、その頂部近傍に気体回収管７０ｂが接続されて、リザーバタンク５６へ連通している。二次冷媒が、冷熱利用機器５２から循環配管５３ａに流動して二次冷媒ポンプ５５に戻るまでの間に、二次冷媒に残留しているエア（空気）が気液分離管７０ａ内を上昇することにより気液分離が行われる。この二次冷媒中の残留エアは、気体回収管７０ｂを介してリザーバタンク５６に回収される。
【００３９】
気液分離が行われると、二次冷媒ポンプ５５には液体の二次冷媒のみが戻るので、二次冷媒中の残留エアにより生じる、二次冷媒ポンプ５５でのエアー噛み等の不都合が防止できる。
【００４０】
なお、液体戻管７０ｃには、フッ素液フィルタ７１を設けてもよい。フッ素液フィルタ７１は、例えばハイドロフルオロエーテル（ＨＦＥ）の二次冷媒を用いた場合に、二次冷媒中で発生するフッ素化合物を取り除くためのものであり、例えば公知の活性アルミナカートリッジが用いられる。具体的には、上述した電磁弁６２を開いて循環配管５３を循環する二次冷媒の一部をリザーバタンク５６に流入させる。リザーバタンク５６内の二次冷媒は、液体戻管７０ｃへ流出してフッ素液フィルタ７１を通り、二次冷媒中のフッ素化合物が取り除かれる。
【００４１】
なお、上述した冷却装置５０を構成する循環配管５３等の配管全体を二次冷媒回路と呼ぶこともある。
【００４２】
上述したような冷却装置５０は、図２に示されるように筐体８０内に収納される。図２は、本発明の実施例に係る筐体３０内に組み立てられて収納された冷却装置５０の配置を示す概略的な模式図である。図２（ａ）は筐体３０内の冷却装置５０の配置を上から見た図であり、図２（ｂ）は側方から見た図である。
【００４３】
図２で示されるように、冷却装置５０の主な構成部材である冷凍機５４、リザーバタンク５６、循環配管５３、気液分離配管７０、及び、二次冷媒ポンプ５５が、組み立てられて筐体８内に収納されている。
【００４４】
図２では、筐体８０内に収納された冷却装置５０の、リザーバタンク５６と二次冷媒ポンプ５５とを含む概略的な配置構成を示している。このため、冷却装置５０の他の構成要素、例えば、リザーバタンク５６の上部に接続される二次冷媒注入バルブ６１や、リザーバタンク５６の上部空間６’に設けられる角ブロック６０、角ブロック６０上の圧力調整ベローズ５７、安全バルブ５８，タンクベント５９等の細部の構成要素は、図示が省略されている。また、図２（ｂ）では、図１及び図２（ａ）で示した冷却装置５０の配管（循環配管５３、気液分離配管７０等）、及び、筐体８０の外側に配置される冷熱利用機器５２は、便宜上、省略して図示されている。
【００４５】
本発明の特徴は、筐体８０内に収納された冷却装置５０において、リザーバタンク５６と二次冷媒ポンプ５５とが上下方向に重なるように配置されていることである。具体的には、二次冷媒ポンプ５５は、筐体３０内において、冷凍機４の側方であって（図４（ｂ）参照）、筐体８０の外側に配置される冷熱利用機器５２と接続される循環配管３の入口端８１付近（図４（ａ）参照）に配置されている。なお、入口端８１と並んで、冷熱利用機器５２へと接続される循環配管５３の出口端８２も、図４（ａ）に示されている。
【００４６】
そして、リザーバタンク５６は、筐体８０内において、二次冷媒ポンプ５５が配置されている位置の上部空間、即ち、二次冷媒ポンプ５５が配置されている位置の真上の空間（図２（ｂ）参照）に配置されており、上から見ると、リザーバタンク５６と二次冷媒ポンプ５５とが上下方向に重なっているように見える。（図４（ａ）参照）。
【００４７】
リザーバタンク５６が二次冷媒ポンプ５５よりも上方に配置されているのは、二次冷媒に含まれる気体（エア、気体の二次冷媒）が循環配管５３から気液分離配管７０を通じて上昇し、リザーバタンク５６から抜ける構成とするためである。そして、循環配管５３に接続されている二次冷媒ポンプ５５に、このエアが入らないようにするため、二次冷媒ポンプ５５は、下方に配置されている。
【００４８】
（作用）
次に、図１及び図２を参照しつつ、本実施例の冷却装置５０の作用について簡単に説明する。冷却対象である冷熱利用機器５２に冷熱を供給する場合、冷凍機５４が始動すると共に、二次冷媒ポンプ５５が始動し、二次冷媒が循環配管５３を矢印ａで示す方向に流れる。
【００４９】
循環配管５３を流れる二次冷媒は、冷凍機５４に達し、冷凍機５４において冷却される。冷却された二次冷媒は、循環配管５３中をさらに流通して、冷熱利用機器５２に達し、冷熱を供給する。このように、冷凍機５４で冷却された二次冷媒は、二次冷媒ポンプ５５により循環配管５３内で循環され、冷熱利用機器５２において冷却作用をする。
【００５０】
本発明の冷却装置５０によれば、リザーバタンク５６と二次冷媒ポンプ５５とを上下方向に重なるように配置することにより、両者を筐体８０内に収納するために必要な配置空間をひとまとまりの空間にすることができるので、筐体８０内に収納される冷却装置５０全体をコンパクトにすることができる。
【００５１】
また、上下方向に重なるように配置されてコンパクトにされたリザーバタンク５６及び二次冷媒ポンプ５５を、冷却装置５０に備えられる（冷却装置５０の一部を構成する）構成部材ユニットとしてユニット化することが可能となる。つまり、筐体８０内で冷却装置５０を組み立てて収納する際、冷凍機５４に循環配管５３等を介してこの構成部材ユニットを取り付けるだけで、リザーバタンク５６及び二次冷却ポンプ５５を一度に組み込むことができる。したがって、筐体８０内での冷却装置５０の組立が簡単となり、組立の迅速化を図ることができる。
【００５２】
以上、本発明に係る冷却装置及び冷却装置の構成部材ユニットの実施形態を実施例に基づいて説明したが、本発明は特にこのような実施例に限定されることなく、特許請求の範囲記載の技術的事項の範囲内でいろいろな実施例があることはいうまでもない。
【００５３】
【発明の効果】
以上の構成から成る本発明に係る冷却装置及び冷却装置の構成部材ユニットによると、筐体内に収納された冷却装置のコンパクト化を図ることができると共に、冷却装置の構成部材のユニット化が可能となり冷却装置の組立の迅速化も図ることができる。
【図面の簡単な説明】
【図１】本発明の実施例に係る冷却装置の概略的な構成を示す図である。
【図２】本発明の実施例に係る筐体内に組み立てられて収納された冷却装置の配置を示す概略的な模式図である。
【図３】冷却装置の概略的な基本的構成を示す図である。
【図４】筐体内に収納された基本的な冷却装置の上から見た模式図（ａ）、及び、筐体３０内に収納された基本的な冷却装置１の側方から見た模式図（ｂ）である。
【符号の説明】
１、５０    冷却装置
２、５２    冷熱利用機器
３、５３    循環配管
３ａ、５３ａ    配管
４、５４    冷凍機
５、５５    二次冷媒（冷却液）ポンプ
６、５６    リザーバタンク
６ａ、５６ａ    貯留部分
６’、５６’    上部空間
７、５７    圧力調整ベローズ
８、５８    安全バルブ
９、５９    タンクベント
１０、６０    角ブロック
１１、６１    二次冷媒注入バルブ（フィル）
１２、６２    電磁弁
２０、７０    気液分離配管
２０ａ、７０ａ    気液分離管
２０ｂ、７０ｂ    気体回収管
２０ｃ、７０ｃ    液体戻管
２１、７１    フッ素液フィルタ
８０    筐体
８１    入口端
８２    出口端
【図１】
2004286370.tif 000003
【図２】
2004286370.tif 000004
【図３】
2004286370.tif 000005
【図４】
2004286370.tif 000006